【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部が設けられた操作手段と、
操作機会が付与される受付許容期間を発生可能であり、該受付許容期間において操作受付されると受付後演出を生じさせる受付期間発生手段と、
前記受付許容期間において、操作機会が付与される対象である操作受け部を摸した摸画像表示を表示可能な摸画像表示手段と
を備え、
前記受付許容期間の発生に際しては、操作受付が許容される状態になったこと、または操作受付が許容される状態になることを示唆する受付許容音が可聴出力されうるようになっており、
前記受付許容音の態様として、少なくとも所定態様及び特定態様が含まれており、
前記受付許容期間には、前記受付許容音が前記特定態様で可聴出力されることがなく前記所定態様で可聴出力されうる所定受付許容期間と、前記受付許容音が前記特定態様で可聴出力されうる特定受付許容期間とが含まれており、
前記受付許容音が前記特定態様で可聴出力されることがなく前記所定態様で可聴出力されうる所定受付許容期間には、少なくとも第１所定受付許容期間及び第２所定受付許容期間がさらに含まれており、
前記特定受付許容期間で操作受付がなされたときには、該特定受付許容期間が発生するよりも前に非可聴の状態にされたＢＧＭが該非可聴の状態を維持しているなかで当該特定受付許容期間に対応する受付後演出を生じさせ、
前記所定受付許容期間のうち前記第１所定受付許容期間で操作受付がなされたときには、該第１所定受付許容期間内において可聴出力されている状態にあったＢＧＭが継続して可聴出力されているなかで当該第１所定受付許容期間に対応する受付後演出を生じさせるが、前記所定受付許容期間のうち前記第２所定受付許容期間で操作受付がなされたときには、該第２所定受付許容期間内において可聴出力されている状態にあったＢＧＭを非可聴の状態にし、該ＢＧＭが非可聴の状態で当該第２所定受付許容期間に対応する受付後演出を生じさせるようになっており、
さらに、
前記受付期間発生手段は、遊技者による演出設定ではなく、前記判定手段による判定の結果に基づいて、
遊技者による操作によって前記操作受付がなされた場合、該操作受付がなされたことに基づいて受付後演出を発生させ、該操作受付がなくても該操作受付がなされたときと同じ受付後演出を発生させるように、遊技者に対して操作機会を付与する自動受付許容期間として前記受付許容期間を発生させる場合と、
遊技者による操作によって前記操作受付がなされた場合、該操作受付がなされたことに基づいて受付後演出を発生させ、該操作受付がなされない場合、該操作受付がなされたときと同じ受付後演出を発生させないように、遊技者に対して操作機会を付与する非自動受付許容期間として前記受付許容期間を発生させる場合とがあり、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付許容期間が発生している状況下にあることはなく前記自動受付許容期間が必ず発生している状況下にあり、遊技者に対して操作機会が付与されているときに前記摸画像表示が前記第２態様で表示されている場合は、前記自動受付許容期間が発生している状況下にある場合と前記非自動受付許容期間が発生している状況下にある場合との両方があるようになっており、
さらに、
前記操作手段は、少なくとも第１態様及び第２態様を含む複数態様のいずれかで発光可能であり、
遊技者に対して操作機会が付与されているときに前記操作手段が前記第１態様で発光している場合は、前記非自動受付許容期間が発生している状況下にあることはなく前記自動受付許容期間が必ず発生している状況下にあり、遊技者に対して操作機会が付与されているときに前記操作手段が前記第２態様で発光している場合は、前記自動受付許容期間が発生している状況下にある場合と前記非自動受付許容期間が発生している状況下にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部が設けられた操作手段と、
操作機会が付与される受付許容期間を発生可能であり、該受付許容期間において操作受付されると受付後演出を生じさせる受付期間発生手段と、
前記受付許容期間において、操作機会が付与される対象である操作受け部を摸した摸画像表示を表示可能な摸画像表示手段と
を備え、
前記受付許容期間の発生に際しては、操作受付が許容される状態になったこと、または操作受付が許容される状態になることを示唆する受付許容音が可聴出力されうるようになっており、
前記受付許容音の態様として、少なくとも所定態様及び特定態様が含まれており、
前記受付許容期間には、前記受付許容音が前記特定態様で可聴出力されることがなく前記所定態様で可聴出力されうる所定受付許容期間と、前記受付許容音が前記特定態様で可聴出力されうる特定受付許容期間とが含まれており、
前記受付許容音が前記特定態様で可聴出力されることがなく前記所定態様で可聴出力されうる所定受付許容期間には、少なくとも第１所定受付許容期間及び第２所定受付許容期間がさらに含まれており、
前記特定受付許容期間で操作受付がなされたときには、該特定受付許容期間が発生するよりも前に非可聴の状態にされたＢＧＭが該非可聴の状態を維持しているなかで当該特定受付許容期間に対応する受付後演出を生じさせ、
前記所定受付許容期間のうち前記第１所定受付許容期間で操作受付がなされたときには、該第１所定受付許容期間内において可聴出力されている状態にあったＢＧＭが継続して可聴出力されているなかで当該第１所定受付許容期間に対応する受付後演出を生じさせるが、前記所定受付許容期間のうち前記第２所定受付許容期間で操作受付がなされたときには、該第２所定受付許容期間内において可聴出力されている状態にあったＢＧＭを非可聴の状態にし、該ＢＧＭが非可聴の状態で当該第２所定受付許容期間に対応する受付後演出を生じさせるようになっており、
さらに、
前記受付期間発生手段は、遊技者による演出設定ではなく、前記判定手段による判定の結果に基づいて、
遊技者による操作によって前記操作受付がなされた場合、該操作受付がなされたことに基づいて受付後演出を発生させ、該操作受付がなくても該操作受付がなされたときと同じ受付後演出を発生させるように、遊技者に対して操作機会を付与する自動受付許容期間として前記受付許容期間を発生させる場合と、
遊技者による操作によって前記操作受付がなされた場合、該操作受付がなされたことに基づいて受付後演出を発生させ、該操作受付がなされない場合、該操作受付がなされたときと同じ受付後演出を発生させないように、遊技者に対して操作機会を付与する非自動受付許容期間として前記受付許容期間を発生させる場合とがあり、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付許容期間が発生している状況下にあることはなく前記自動受付許容期間が必ず発生している状況下にあり、遊技者に対して操作機会が付与されているときに前記摸画像表示が前記第２態様で表示されている場合は、前記自動受付許容期間が発生している状況下にある場合と前記非自動受付許容期間が発生している状況下にある場合との両方があるようになっており、
さらに、
前記操作手段は、少なくとも第１態様及び第２態様を含む複数態様のいずれかで発光可能であり、
遊技者に対して操作機会が付与されているときに前記操作手段が前記第１態様で発光している場合は、前記非自動受付許容期間が発生している状況下にあることはなく前記自動受付許容期間が必ず発生している状況下にあり、遊技者に対して操作機会が付与されているときに前記操作手段が前記第２態様で発光している場合は、前記自動受付許容期間が発生している状況下にある場合と前記非自動受付許容期間が発生している状況下にある場合との両方がある
ことを特徴とする遊技機。
【手続補正４】
【補正対象書類名】明細書
【補正対象項目名】０００８
【補正方法】削除
【補正の内容】